Podtech/llm-jp-corpus-v4-ja_patent huggingface dataset:
(57)【要約】【課題】肩を大きく、露出させたり、肩紐も無いドレスを見栄えよくマネキンより安価で引き立てる陳列表現する。【解決手段】合成樹脂板を上半身の色や形に似せた立体成型したカバーを、ハンガーにかぶせる事で陳列の表現巾が広がりどんな服も架けられる【選択図】図１
2010269104.tif 000002
【特許請求の範囲】
【請求項１】
上半身の形の、ハンガーカバー
【発明の詳細な説明】
【技術分野】
【０００１】服をより美しく陳列する、ハンガーカバーに関する
【背景技術】
【０００２】  店舗で、服を陳列するとき、ハンガーのままでは、ネックレスと服をコウデネイトしたり、胸の谷間を強調する事が出来ない
【発明の開示】
【発明が解決しようとする課題】
【０００３】店舗で服を陳列するときに、上半身を露出した服を見栄えよくするため安価で簡易にハンガーをマネキンの代用させる。
【発明の効果】
【０００４】  ハンガーに肌色で胸の乳房のふくらんだ形のカバーがかぶせてあると、その上に大きく肩の露出した服や肩ひもの無いドレスも、ぶら下がるので店舗での陳列表現が、豊かに出来る。
【発明を実施するための最良の形態】
【０００５】合成樹脂の板を、真空成型で乳房から上肩から首までを形作り首の所に、ハンガーのフックが通る穴を開ける。
【実施例１】
【０００６】図１は、ハンガーにカバーをかぶせた状態を表す
図２は、カバーのみを表す
【産業上の利用可能性】
【０００７】  板を成型しただけなので、安価に出来、その上重ねられるので保管スペースが、少ないハンガーはフック以外隠れるのでバリや汚れの問題が無い。なので、安価なハンガーや、リサイクルハンガーでよい。
【図面の簡単な説明】
【０００８】
【図１】本発明の使用例の正面と、側面断面図です。（実施例１）
【図２】本考案カバーのみを表示しています。
【図１】
2010269104.tif 000003
【図２】
2010269104.tif 000004
(57)【要約】【課題】高圧ガス容器の管理２級管理免許が不要な１００ミリリトル（ｍｌ）容器以下の低容量ボンベを用いて必要酸素供給量を満たすボンベの供給機構をもった携帯人工呼吸器を提供する。【解決手段】高圧ガス規制法の対象にならない管理免許が必要ない低容量ボンベ（小型高圧ガス容器１００ｍｌ以下）を人工呼吸器に複数本接続し、複数本を１つの束に、順次バルブを使用し切換えする事により、各容器の安全性を確保した上で、シーケンスを組み、１本のボンベが空になると、それは閉鎖し次に、２番目のボンベが開き、空になれば（酸素内圧が弱くなるか、又はなくなれば）必要酸素供給量を連続して携帯型人工呼吸器に酸素を供給可能にする。【選択図】図１
2010269107.tif 000002
【特許請求の範囲】
【請求項１】
１００ｍｌ以下の高圧酸素耐用容器（耐圧４５０ｋｇ．ｆ．ｃｍ）で酸素が容量の少ない小型高圧ガス容器（高圧酸素）  ９、を使いながら、複数の小型高圧ガス容器（高圧酸素）  ９、を接続切替えシーケンスに沿い連続的に自動的に稼働制御装置  １０、により小型高圧ガス容器接続切替え装置  １１、を制御し、の使用切換えを行うことにより、小型携帯用人工呼吸器において本体に内装化することにより・小型化、及び軽量化・取り扱いの利便性の改善・充填性の簡便・移動性進展・必要酸素供給量と時間の延長を可能にする機構を備え・カセットによるユニット化・危険性の軽減、高圧ガス容器法規制の解除と酸素供給量の確保を両立した小型携帯用人工呼吸器
【発明の詳細な説明】
【技術分野】
【０００１】。
本発明は酸素小型高圧ガス容器を接続した人工呼吸器に関する。
【背景技術】
【０００２】人工呼吸器に接続される酸素は高圧ガス容器であり、人工吸気器は連続して使用するために、その必要酸素供給量を充たすため、高圧ガス容器が大きく、１００ｍｌ以上のもの容器に成っており容器は高圧酸素ガス容器の法律の免許管理になる。
人工呼吸器医療用酸素ガス容器は容器の大きさが１００ｍｌ以上の容器が接続され、使用されているため、高圧ガス管理免許所持者しか取扱えず、一般車輌でも認可を取っている車以外は移動できない。
ＡＥＤ（除細動器）より緊急時の必要性が高いにもかかわらず、ＡＥＤのように必要な場所に、設置することが出来なかった。【０００３】又、人工呼吸器に接続されている酸素の高圧ガス容器はこの機器の必要上、酸素供給量を充たすため一定以上の容量が必要であり容器が大きくなり危険性が高く、人工呼吸器を設置するにも保安上、安全性の面から設置の制限が法律で規制されている厳しい状態である。【０００４】そこで、酸素の高圧ガス容器の代わりに、容量が１００ｍｌ以下の小さい小型高圧ガス容量を、取付け安全性を高め設置制限を緩和する方法である。
小型高圧ガス容器容量が１００ｍｌ（１００ｃｃ）以下のため、酸素の供給時間が１本でも約２０分使用することが出来、連続使用可能なシーケンスバルブ付き携帯ボンベにより、どこに移動することも出来、どこに置くことも出来る小型、携帯型、酸素携帯型人工呼吸器と成る。シーケンスバル付きシリンダーにより３本から５本で１時間の間、３５％酸素混合空気を使用することが出来る。
それ故に、救急車の到着もしくは、医療機関到着までの時間、酸素を供給する事は十分量可能である。
【先行技術文献】
【非特許文献】
【０００５】
【非特許文献１】高圧ガス容器取締法
【非特許文献２】医療用酸素ガス取締法
【発明の概要】
【発明が解決しようとする課題】
【０００６】上記文献のように高圧ガス容器取締法管理上、使用者制限、消防法、における設置制を受けた状態では、ＡＥＤのように必要個所に設置することも、有資格以外に使用するっことも出来ず、結果的にＡＥＤ（除細動器）と同じように、緊急必要性が高いにも係わらず設置がＡＥＤを大きく制限され、下回っている。
人工呼吸器の使用は、病院、診療所での設置型か、救急車の中での使用であり、移動には手動式空気呼吸器を使用するか、大きい重いボンベを使用している。
【課題を解決するための手段】
【０００７】而して本発明は、酸素のシーケンスバルブ付き携帯ボンベで小型高圧ガス容器を使用し安全面を改善し設置制限、移動制限、使用者の制限を緩和し、小型高圧ガス容器を複数本使用し個々に切り替え装置に接続切換え制御を行う事により必要酸素の１．供給量の増大、２．時間を確保３．移動制限、４．設置制限の解除などを行うことが出来る。
【発明の効果】
【０００８】本発明によれば、小型１００ｍｌ以下高圧ガス容器を複数本、シーケンスバルブの切替え装置にて切替える事により、安全性を向上させ、設置規制及び使用規制、ボンベの充填規制を）を受けずに必要酸素供給量及び時間を確保する事が出来きる携帯、軽量、小型人工呼吸器を提供することが出来る。
【図面の簡単な説明】
【０００９】
【図１】本発明の実施形態を示す、人工呼吸器の全体構成図である。
【発明を実施するための形態】
【実施例】
【００１０】下記、発明の実施の形態を図面に基づき説明する。【００１１】図１は、本発明の実施形態を示す、人工呼吸器の全体構成図である。【００１２】人工呼吸器使用開始時、酸素供給を小型高圧ガス容器接続切替え制御装置  １０、の信号を受け小型高圧ガス容器接続切替え装置  １１、により切替え弁  １２、を操作し小型高圧ガス容器（高圧酸素）  ９ａ、の酸素を酸素配管  １３、通じて空気・高濃度酸素混合送気装置  １、に送り空気と混合し吸排気制御装置  ３、の制御に基づいて吸気管  ４、給気排気切替え弁  ８、吸排気管  ６、酸素マスク  ７、を経て人体に供給する。【００１３】排気は、人体から酸素マスク  ７、吸排気管  ６、給気排気切替え弁  ８、排気管  ５、経て吸排気制御装置  ３、の制御の基づき排気装置  ２、より排気される。【００１４】人工呼吸器駆動時間経過に伴い小型高圧ガス容器（高圧酸素）  ９ａ、より供給される酸素残量減少を感知、小型高圧ガス容器接続切替え制御装置  １０、の制御により小型高圧ガス容器接続切替え装置  １１、にて切替え弁  １２、を操作し小型高圧ガス容器（高圧酸素）  ９ａ、の切替え弁  １２、を閉じ、小型高圧ガス容器（高圧酸素）  ９ｂ、の切替え弁  １２、を開放し酸素を継続的に空気・高濃度酸素混合送気装置  １、へ送る。【００１５】小型高圧ガス容器（高圧酸素）  ９、を順次切り替えて行く事により必要酸素供給量及び酸素供給時間を確保する。
【符号の説明】
【００１６】１、  空気・高濃度酸素混合送気装置
２、  排気装置
３、  吸排気制御装置
４、  吸気管
５、  排気管
６、  吸排気管
７、  酸素マスク
８、  給気排気切替え弁
９、  ９ａ〜９ｃ  小型高圧ガス容器（高圧酸素）
１０、小型高圧ガス容器接続切替え制御装置
１１、小型高圧ガス容器接続切替え装置
１２、切替え弁
１３、酸素配管
【図１】
2010269107.tif 000003
(57)【要約】【課題】共用で使用する便座において衛生的に使用するために様々な便座シートが提供されているが、安定性が悪く、狭い空間の中で便座シートを設置するのに手間がかかるという課題もあり、ズレにくく、狭い空間の中でも手軽に使用できるものが求められた。【解決手段】中央に前後対称の切り込みを施し、切り込みの中央部に開口部を設け、一部を便座穴の左右に垂れ下げ、その垂れ下がりとバランスを保つための便座外の余剰部を大きめに設け安定させた。その切り込みの一部分に切り残しを設けて、開口部が散漫に広がらなくした。着座するとこの切り残しが裂けて開口部が広がり、垂れ下がりがより深く便座内に下がることで安心して使用できるようにした。この切り残しでシートは面を保ち、開口部の半円形のデザインにより上下の方向が判りやすく手早く使用できるようにした。さらに長い繊維の土佐和紙仕様の素材を用いて広がり易くした。柔らかく肌ざわりが優しい。【選択図】図１
2010269101.tif 000002
【特許請求の範囲】
【請求項１】
商品の中央に前後対称の切り込みを施し、その中央部に前後左右対称の開口部を設け、開口部の一部を半円形とした。開口部の中央に切り残しを設けた。使用者が着座するとこの切り残しが破れ、さらに深く便座穴に垂れ下がり、便座と使用者の接触を防ぎ、清潔にトイレを使用できる。
【請求項２】
便座より大きい商品の余剰部の重さと開口部の垂れ下りの重さがあいまって、設置及び使用時のズレ等の不安定さを解決し安心して使用できる。
【請求項３】
開口部の切り残しのために商品を開くと一つの大きな面となり、開口部が上下左右の対称形ゆえに、設置の方向がすぐに判別でき設置が容易である。
【請求項４】
柔らかく、長い繊維を壊さない土佐和紙の製法による素材の使用により、スムーズに広がり便座にフィットし安定して設置できることを特徴とする便座シート。
【発明の詳細な説明】
【技術分野】
【０００１】本特許は、洋式トイレを使用する前に便座に敷き、使用後に水洗トイレに流す使い捨て便座シートであり、設置しづらさや不安定さを解決したものである。
【背景技術】
【０００２】従来は紙質が硬く折癖もあって滑り、便器に設置してもズレて不安定である。前後に方向性を持っていて、しかも小さく折りたたんであり設置するのに手間取った。
【先行技術文献】
【特許文献】
【０００３】
【特許文献１】特開２００７−１７５４５５
【特許文献２】特開２００５−４０３５９
【特許文献３】特願２００３−３１９７７４
【特許文献４】特開２００３−３２５３８２
【特許文献５】特開２００１−１２８８９４
【特許文献６】実用新案登録第３０７６２６４号
【特許文献７】登録実用新案第３０４３０６８号
【特許文献８】特願２００５−１４３１８２
【発明の概要】
【発明が解決しようとする課題】
【０００４】既存の便座シートはデザインが不具合なので便器に設置するとズレて不安定であるか、接着剤で固定するなど設置に手間取った。【０００５】開口部の形状が非対称のため、前後に方向性があり設置に手間取った。【０００６】既存の便座シートは、紙質が硬く細かく折癖がついているため広げるのに手間取る。衣類・荷物がかさばり狭いトイレ内では使用しづらい。
【課題を解決するための手段】
【０００７】シート中央を切り込んで開口部を設け便座穴に垂れ下げ前後へのズレを防ぎ、かつ便座より大きめのサイズで便座外に余剰を設けて互いの重量により安定させた。広げて置くだけで設置できる。【０００８】シート中央のカット部に切り残しを設けて開口部を広がらなくして、前後を対称形にすることで設置方向をわかりやすくした。【０００９】柔らかい紙質を使用し広がり易くした。（長い繊維を損なわないことを特徴とした土佐和紙仕様の材質をもつ紙。）
【発明の効果】
【００１０】便座穴への垂れ下がり部分と便座外部の余剰部との重量のバランスによりズレることなく、便座の上に置くだけで安定して設置することができた。着座すると切り残しが破れ、さらに深く垂れ下がり便器と肌が接することなく清潔に使用することができた。【００１１】開口部の形状が対称なので一目で前後方向がわかり手早く設置できた。【００１２】柔らかい紙質により、容易に広がり滑らないで安定して使用できた。
【図面の簡単な説明】
【００１３】
【図１】便座シートの上面図である。
【図２】便座シートが便座に設置された状態の上面図である。
【図３】便座シートが便座に設置された状態の側面図である。
【図４】切り残し部が破け、便座シートが便座に固定された状態の上面図である。
【図５】切り残し部が破け、便座シートが便座に固定された状態の側面図である。
【発明を実施するための形態】
【００１４】便座シートを設置する前の広げた形態を図１に示す。便座内の落とし込み部に切り残しがあることで半円形の開口部が明確で、前後方向が判断しやすくなり正しく設置できる。
【００１５】便座シートを設置して、利用する段階の形態を図２（上面）、図３（側面）に示す。便座外部の余剰部と開口部の垂れ下がりによりバランスを保ち、左右前後のズレを防止する。
【００１６】便座シートを便座に設置し、着座した段階を図４（上面）、図５（側面）に示す。着座の圧力により、落とし込み部の切り残し部が破けて、そのまま便座内に垂れ下がる。
【符号の説明】
【００１７】１．便座シートの落とし込み部を固定する切り残しを表す。
２．設置時に便座内に垂れ下がる部分。
３．設置時に便座外に垂れ下がる部分。
４．着座後に切り残しが破れ、便座内に垂れ下がる部分。
【図１】
2010269101.tif 000003
【図２】
2010269101.tif 000004
【図３】
2010269101.tif 000005
【図４】
2010269101.tif 000006
【図５】
2010269101.tif 000007
(57)【要約】【課題】  傘等の強度の強化を図り、損傷が少ない傘の製作、販売と傘表面部の交換できるものを含める傘表面部の製造をする。【解決手段】  傘部品の材質等の変更により強度を強化する。  傘表面部は交換できる構造も含める。【選択図】なし【特許請求の範囲】
【請求項１】
雨傘、日傘、ビーチパラソル、ガーデンパラソル、ゴルフパラソル、折りたたみ傘等、傘の形状をした全般に適用する。
【請求項２】
ステンレス、鋼により傘等の強度の強化を図り、損傷が少ない傘の製造をする。
【請求項３】
傘表面部は、交換できるものを製造をする。
【発明の詳細な説明】
【技術分野】
【０００１】  この発明は雨傘、日傘、パラソルの強度を強化し、風及び取り扱いによる損傷を防ぎ安全とエコに貢献する。また表面部の交換できるものを含める。
【背景技術】
【０００２】  従来から傘は、雨傘、日傘に使用しているが、強度不足による損傷により廃棄されることが見受けられる。また、表面部の模様、デザイン、材質は固定され変化の要望もあり複数のものを所有することになる。
強度の強化、表面の交換により少ない本数でより多くの嗜好を満足させ、損傷の廃棄が少なくエコに貢献できる。
【発明の概略】
【発明が解決しようとする課題】
【０００３】  そこで、傘等につき強度の強化には、ステンレスの生材、ステンレスばね材、樹脂の組み合わせ、また、鋼の生材、焼き入れ鋼、鋼の生材加工後の焼き入れ、樹脂の組み合わせにより強度の強化を図り、損傷が少ない傘等の製造をする。
【０００４】  傘の表面部については、交換できるものも含めて製造をする。
【発明を解決するための手段】
【０００５】  目的達成のために傘等の強度強化については主軸、大骨、中骨、小骨、カシメ鋲、溶接、樹脂等で強度強化のため、部分的また全体にステンレス生材、ステンレスバネ材を使用する。ステンレスは化学処理等による表面の着色も含めるものとする。鋼の生材、熱処理をした鋼は防錆効果を図るために表面処理を行い強度の強化と寿命の延長を図り、安全の確保とエコに貢献できるものとする。
【交換表面の材質】
【０００６】  傘交換表面部の材質は、交換中心部の内径は円とし外形は円又は模様とするゴム、樹脂（ビニール、ポリエチレン、プリプロピレン、ナイロン等）、金属等適宜使用する。中心部以外材質は、樹脂（ビニール、ポリエチチン、プリプロピレン、ナイロン等）系、布系、不織布等を使用する。表面部の交換は、ねじ式、圧入式、挿入式とする。
【発明の効果】
【０００７】  このように強度が強化されれば、損傷による危険及び損傷の減少また嗜好による表面の買い替えにより傘の廃棄が減少してエコにも貢献できる。
(57)【要約】【課題】室内で洗濯物を干すとき、梅雨時期は乾きが遅いので速く乾かしたい。現在販売されている乾燥機は熱を発生させる。ブラウスなどは取り出してからハンガーにかけ直す必要がある。その手間を省き、尚かつ電気代も安い省エネの簡易乾燥機の提供。【解決手段】円筒形で縦型の風洞構造を作り送風し、その中に洗濯物を吊すことで解決。【選択図】図１
2010269103.tif 000002
【特許請求の範囲】
【請求項１】
室内で洗濯物を速く乾燥させるために風を利用するが、この風を効率良く利用するために円筒形で縦型の風洞状の構造物の中に洗濯物を干す器具を設置し上部から送風する簡易乾燥機。
【発明の詳細な説明】
【技術分野】
【０００１】本発明は名前の通り、洗濯物を円筒形で縦型状風洞の中に吊して早く乾燥させることが出来るようにした簡単な乾燥機である。
【背景技術】
【０００２】従来、洗濯物は外に干すのが常識であったが、最近は下着泥棒などの被害を嫌い、若しくは雨が降っても直ぐに取り込めない等の理由から室内で干す人が増えたが、狭い空間にそれほど多くの洗濯物は乾かせないのが現状である。【０００３】全自動洗濯機の性能も上がって乾燥まで出来るようになったが、湿っぽいのでやはり最後は取り出してハンガーなどに掛けて乾かしているのが現状である。【０００４】乾燥機は高額であるし、本発明と比べると熱を発生させる分ランニングコストも高い。
【先行技術文献】
【特許文献】
【０００５】
【特許文献１】
【特許文献２】
【非特許文献】
【０００６】
【非特許文献１】
【非特許文献２】
【発明の概要】
【発明が解決しようとする課題】
【０００７】室内で洗濯物を大量に早く乾かせる安価な省エネ乾燥機の提供。
【課題を解決するための手段】
【０００８】本発明は、衣服収納用に放射状に伸びた枝部分に直接ハンガーを掛ける構造の物があるが、これと同様の構造の物に生乾きの洗濯物を直接若しくはハンガーに掛けて取り付ける。これを円筒形に風を通さない布で側面を覆う。この時下部に空間を作った状態にして風通しを良くする。そして布はカーテンのように簡単に開閉できるようにし、取っ手を付ける。円筒形の上部にプロペラを取り付け回転させ送風すると熱を加えなくとも素早く乾燥できる。
【発明の効果】
【０００９】本発明の効果は安価であることに加え、熱を加えないので生地を傷めずに乾燥できるし、ブラウス等はハンガーに掛けての乾燥なので、そのまま取り込めるのが便利である。
【図面の簡単な説明】
【００１０】
【図１】プロペラは送風するための器具である。  側面を覆う風を通さない布は上端と取り付け枠の間に取り付ける。  これはカーテン状で開閉が楽なように取手を付けるが、図面には取手と継ぎ目を描いて布そのものは描いていない。  洗濯物取り付け棒とは、狭い空間に多くの洗濯物を吊せるように放射状に２段の棒を配した物である。
【発明を実施するための形態】
【００１１】室内に干した洗濯物に熱を加えずに送風だけで速く乾燥させる機械である。
【実施例】
【００１２】材質は特に問わない。垂直に立てた適当な太さの棒にそれよりは細い棒を放射線状に２段に取り付け、洗濯物を直接若しくはハンガー等で掛けるようにする。そして上部から送風した風が側面から逃げないように覆い、下部は適当に開けた円筒形で縦型の風洞を作ることで洗濯物を速く乾かす事が出来る。
【産業上の利用可能性】
【・・・・】
【符号の説明】
【・・・・】
【受託番号】
【・・・・】
【図１】
2010269103.tif 000003
(57)【要約】【課題】従来の端子供給装置は整列搬送させるために振動ボウルフィーダ装置を用いるため、ランダムに投入される端子部品が振動ボウルフィーダ装置内を循環する間に異物が付着し、その異物が漏れ電流の原因となり、この端子部品が組み込まれたコンデンサの品質の向上が望めない点である。【解決手段】  端子部品の搬送に振動ボウルフィーダ装置を用いず、端子部品が容易に取り出せる形状にした端子部品収納ケースから端子部品を取り出し、振動リニアフィーダ装置に搬送可能な機構にした。これにより端子部品への異物付着がなくなり、この端子部品が組み込まれたコンデンサは漏れ電流が少なくなり、品質を向上させることができる。【選択図】図１
2010269935.tif 000002
【特許請求の範囲】
【請求項１】
頭部および脚部を有する端子部品を収納する取出口側がＶ字形状で、底部は傾斜している複数ポケットを形成した収納ケースを用い、立位姿勢の端子部品を、前記収納ケースから取り出すのに適した先端形状のシャフトを備えた振動リニアフィーダ装置側に移送させることを特徴とする端子部品収納ケースを用いた端子部品供給装置。
【発明の詳細な説明】
【技術分野】
【０００１】本発明は電子部品タブ端子等の棒状の端子部品を供給する端子部品供給装置に係り、とりわけタブ収納ケースから直接振動リニアフィーダに頭部を上にして立位姿勢にて次工程へ搬送する端子部品供給装置に関する。
【先行技術文献】
【特許文献】
【特許文献】  特開平２−１５８５１０号  公報
【０００２】
【発明の概要】
【発明が解決しようとする課題】
【０００３】従来の振動ボウルフィーダを用いた部品整列供給装置では振動ボウルフィーダ装置にランダムに投入される端子部品が所定方向の姿勢になるまではボウル内を循環するため端子部品頭部に異物が付着し、そのままコンデンサに組み込まれると漏れ電流が発生し、品質の向上が望めなかった。【０００４】本発明はこのような振動ボウルフィーダ装置内で異物が付着するという問題を解決しようとすものであり、端子部品に異物が付着しない搬送が可能となる端子部品供給装置を提供することを目的とするものである。
【課題を解決するための手段】
【０００５】本発明は、端子部品に異物付着をなくすため、振動ボウルフィーダ装置を用いず、端子部品収納ケース内に立位姿勢で収納された端子部品を順次、振動リニアフィーダ装置へ移送することを主要な特徴とする端子部品供給装置を提供する。
【発明の効果】
【０００６】本発明の端子部品供給装置は端子部品へ異物が付着することなく振動リニアフィーダ装置に移送できるため、端子部品に異物付着による漏れ電流がなくなり、この端子部品が組み込まれたコンデンサの品質が向上するという利点がある。
【図面の簡単な説明】
【０００７】
【図１】  本発明による端子部品供給装置の一実施の形態を示す平面図。
【図２】  図１に示す端子部品供給装置を横から見た側面図。
【図３】  振動リニアフィーダ装置の入口側シュートの拡大断面図。
【図４】  端子ケースが振動リニアフィーダ装置側へ移動した状態を示す図。
【図５】  端子ケースが下降し、端子部品が搬送される動作状態を示す図。
【図６】  端子ケースが下降位置で元の位置へ戻る状態を示す図。
【図７】  端子ケースのポケット形状を説明するための図。
【図８】  従来の端子供給装置構成を示す図
【発明を実施するための形態】
【０００８】以下、図面を参照して本発明の実施の形態について説明する。図１乃至図６は本発明による端子部品供給装置の一実施の形態を示す図である。
【０００９】まず、図１及び図２により、端子部品供給装置の全体構成について説明する。図１および図２に示すように、端子部品供給装置は、頭部および脚部を有する端子部品Ｐの頭部を上にして立位姿勢で収納している複数ポケットの端子ケース１と、その端子ケース１が傾斜してはめ込まれているケースガイド２と、ケースガイド２を横移動させるガイドレール３と、端子部品Ｐを立位姿勢にて搬送する振動リニアフィーダ装置７とを備えている。
【００１０】このうち供給側には端子ケース１、ケースガイド２、ガイドレール３は一体となって前進、後退、下降、上昇するための駆動装置（図示せず）と、ケースガイド２を端子ケース１の１ポケットづつ横へスライドさせる歯車９の駆動装置（図示せず）が組み込まれている。
【００１１】また振動リニアフィーダ装置７は端子部品Ｐの頭部を上にした立位姿勢のまま次工程の取出位置まで搬送するものであり、振動リニアフィーダ装置の入口側は図３に示すように平行に架設された丸シャフト形状のシュート４ａ、４ｂと、振動リニアフィーダ装置の出口側に平行に架設された丸シャフト形状のシュート５ａ、５ｂの隙間に端子部品Ｐの脚部が入り輸送性の振動を与える加振装置（図示せず）とを有している。
【００１２】さらに端子ケース１は図７に示すように１ポケットがＶ字形であり、底部が鋭角側に傾斜形状となっており、１ポケット内の端子部品がＶ字形の鋭角部に集まりやすい形状の複数ポケットが連なった端子ケースとなっている。
【００１３】ここで、端子ケース１に収納された端子部品Ｐは端子ケース１と、ケースガイド２と、ガイドレール３と一体となって振動リニアフィーダ装置の入口側シュート４へ前進し、振動リニアフィーダ装置のシュート４ａと４ｂの隙間に入った端子部品Ｐが振動リニアフィーダ装置上に残り、その他の端子部品は端子ケース１と、ケースガイド２と、ガイドレール３とが下降し、振動フィーダ装置のシュート４ａと４ｂの隙間に入った端子部品Ｐが搬送されるようになっている。
【００１４】なお、振動リニアフィーダ装置上の出口側で端子部品が満杯状態になった時はセンサ８で検出し、端子ケース１と、ケースガイド２とガイドレール３とを一体となって駆動装置（図示せず）に制御装置（図示せず）を介して停止信号を送り、端子ケース側の動作を停止させる。
【符号の説明】
【００１５】Ｐ    端子部品
１    端子ケース
２    ガイドケース
３    ガイドレール
４ａ  入口側シュート
４ｂ  入口側シュート
５ａ  出口側シュート
５ｂ  出口側シュート
６    シュートブロック
７    振動リニアフィーダ装置
８    センサ
９    ガイドケース送り歯車
【図１】
2010269935.tif 000003
【図２】
2010269935.tif 000004
【図３】
2010269935.tif 000005
【図４】
2010269935.tif 000006
【図５】
2010269935.tif 000007
【図６】
2010269935.tif 000008
【図７】
2010269935.tif 000009
【図８】
2010269935.tif 000010
(57)【要約】      （修正有）【課題】ベルトコンベヤの前方に取り付け、耐久性の高いベルトクリーナを提供する。【解決手段】ベルトコンベヤヘッドプーリの水平軸線に対して、傾斜角を付したワイヤロープ式ベルトクリーナにおいて、ワイヤ支持体４を複数にすることにより、耐摩耗性除去片３の回転を防止することで、除去片３とワイヤ支持体４の擦り磨耗によるワイヤ支持体４の切断をなくす。除去片３のベルト２に接触する、ベルト２の進行方向の長さを、除去片３のワイヤ支持体４を通す貫通孔の間隔より大きくすることで、除去した付着物を、容易に落下させる。【選択図】図２
2010269937.tif 000002
【特許請求の範囲】
【請求項１】
ベルトコンベヤヘッドプーリの水平軸線に対して、傾斜角を付したワイヤロープ式ベルトクリーナにおいて、コンベヤベルトの幅方向全長にわたって、多数個の耐磨耗性除去片を、平行した複数のワイヤ支持体に配設したことを、特徴とするベルトクリーナ
【請求項２】
ワイヤ支持体を通す除去片のコンベヤベルトの進行方向の大きさは、除去片を貫通するワイヤ支持体の間隔より、大きくすることで形状的に除去物の流れがよくなり、除去物の排出が良くなり、除去効果の高いベルトクリーナ。
【発明の詳細な説明】
【技術分野】
【０００１】本発明はベルトコンベヤにおける、ベルト表面の付着物を除去するベルトクリーナ、詳しくはベルトコンベヤヘッドプーリの前方下側に設置されることで、除去物がコンベヤ搬送物と同じ場所に落下することで、除去物排出用の設備は不要となる。
又複数のワイヤ支持体、除去片のベルトとの接触を使用することで、単数のワイヤ支持体では発生していた、除去片の回転がなくなり、事故の無いベルトクリーナに関するものである。
【背景技術】
【０００２】従来からベルトクリーナは、ベルト表面に対して直線的に除去片を押し付けるタイプが多く、除去片、ベルトの磨耗により、接触が悪くなり、除去効果が低下しておる。
除去片およびベルト磨耗に追従して、効果の低下の無いベルトクリーナ、例えば特許文献１に開示されているように、ベルトコンベヤヘッドプーリ前面に、ワイヤを角度を持って配置し、付着物を除去する装置が知られている。
【先行技術文献】
【特許文献１】特開２００４−３３１３９３
【０００３】
【特許文献２】特開平７−２１５４４３
【０００４】
【特許文献３】特開平６−３０５５４４
【０００５】
【特許文献４】特開平２−２８４１１
【０００６】
【特許文献５】特開平８−９１５４４
【０００７】
【特許文献６】特開平８−９１５４５
【０００８】
【特許文献７】特開２００３−２７６８２３
【０００９】
【発明の概要】
【発明が解決しようとする課題】
【００１０】本発明は複数のワイヤ支持体４に、貫通孔２個のある耐磨耗性除去片３を多数個配設したベルトクリーナに関する。
【発明の効果】
【００１１】ワイヤ支持体４に耐摩耗性除去片３を配設ことにより耐久性が向上し、ワイヤ支持体を複数にすることで、除去片の回転を防止する。
【図面の簡単な説明】
【００１２】
【図１】  本発明の使用状態を示す断面図である。
【図２】  本発明の斜視図である。
【発明を実施するための形態】
【００１３】本発明の実施の形態を図１〜図２を用いて具体的に説明する。
図１において除去片３は硬質耐磨耗材（超硬、セラミックなど）にて製作されており、ベルト２との間隙を通過する付着物により、磨耗が激しいが接触面積を大きくすることで、面圧を下げ、かつ除去片３をベルト２の進行方向に対して角度を持たせることで、除去効果を高め、除去片３の磨耗の現象を軽減している。
図２において除去片３はベルトコンベヤヘッドプーリ１の前方に位置するため、除去された付着物は容易に落下シュートに入る。
本発明のベルトクリーナは除去片３を支持する支持体はワイヤ支持体４であり、構造的に軽量であり、取り付け時間も短く容易である。
【産業上の利用可能性】
【００１４】本発明のベルトクリーナは一般的なベルトコンベヤに使用されるベルトクリーナである。
【符号の説明】１      ベルトコンベヤヘッドプーリ
２      コンベヤベルト
３      除去片
４      ワイヤ支持体
【図１】
2010269937.tif 000003
【図２】
2010269937.tif 000004
(57)【要約】【課題】  ティシュペーパーボックスは一定任意の場所、特に垂直面に取り付けるような構造は有していなかった。本発明は、これを改善し、一定任意の場所にティシュペーパーボックスを取り付けられる取り付け片を有するティシュペーパーボックスを提供する。【解決手段】  市販ティシュペーパーボックスの一部を切り起こせるようにミシン目を入れ、切り起し部分を利用して壁、柱、あるいはテーブルの下など一定任任意の場所に画鋲、ピンなどで止めつけ可能とする取り付け片付きティシュペーパーボックス。【選択図】  図３
2010269834.tif 000002
【特許請求の範囲】
【請求項１】
市販ティシュペーパーボックスの一部を切り起こせるようにミシン目を入れ、切り起し部分を利用して壁、柱、あるいはテーブルの下など一定任任意の場所に画鋲、ピンなどで止めつけ可能とする取り付け片付きティシュペーパーボックス。
【発明の詳細な説明】
【技術分野】
【０００１】
本発明は、ティシュペーパーの入った箱（以下ティシュペーパーボックスと称する）の一部を切り起こせるようにし、一定任意の位置に画鋲等で止めつけて保持する、取り付け片を設けたティシュペーパーボックスに関するものである。
【背景技術】
【０００２】
従来、ティシュペーパーボックスは平面上、例えばテーブルの上などに置かれ、これを垂直面、あるいはテーブルの下に保持するような構造になっていなかった。
【発明の概要】
【発明が解決しようとする課題】
【０００３】
そのために、次のような問題点があった。
イ、ティシュペーパーをテーブル上に置けば場所をとり、邪魔になる。
ロ、 適当な場所に置かれるので、一定位置に置かれることはなく、時には使用時に見つからず、探さねばならなかった。
本発明は、上記のような欠点をなくすためになされたものである。
【課題を解決するための手段】
【０００４】
ティシュペーパーボックスの裏面に接する一番面積の狭い２側面に、直径が
裏面の稜線となる半円形のミシン目を付け、半円形の部分を切り起して取り付け片となし、該取り付け片を利用し壁あるいは柱、又はテーブルの下面に画鋲で取り付けるのを可能としたティシュペーパーボックス。
【発明の効果】
【０００５】
本発明により、追加材料を要することなく簡易に取り付け片を設けることが出来るため、画鋲等でどこにでも取り付けることが可能となり、一定任意の場所にティシュペーパーボックスを保持することができるようになる。
【図面の簡単な説明】
【０００６】
【図１】本発明の裏面斜視図
【図２】本発明の使用状態を示す視図
【図３】本発明の使用状態を示す正面図
【発明を実施するための形態】
【０００７】
以下、本発明を実施するための最良の形態について説明する。
イ、市販ティシュペーパーボックスである本体（１）の最小面積である両側面部に、裏面（７）との稜線を直径とする切り起し部半円形ミシン目（３ａ）を設ける。
ロ、切り起し部半円形ミシン目（３ａ）の両端に継続して、切り起し部（２）を指の腹で押し、矢印方向に引けば容易に切り起し部（２）が本体（１）に埋没せずに切り起せるよう、切り起し部ミシン目足（３ｂ）を本体裏面（７）に設ける。
ロ、切り起し部（２）には、止めつけ用のピンホール（４）を設ける。
ハ、切り起し部（２）を指で切り起こせば、裏面（７）と同一面上となるようにする。
ニ、この切り起し部分を利用し、ピンホール部（４）に画鋲（５）等でティシュペーパーボックスを一定任意の場所に取り付けことにより、ティシュペーパー（６）を容易に取り出せる。  
【符号の説明】
【０００８】
１    市販ティシュペーパーボックス
２    切り起し部
３ａ  切り起し部半円形ミシン目
３ｂ  切り起し部ミシン目足
４    ピンホール
５    画鋲
６    ティシュペーパー
７    ボックス裏面                                                                                                                                                                                                                                              
【図１】
2010269834.tif 000003
【図２】
2010269834.tif 000004
【図３】
2010269834.tif 000005
(57)【要約】【課題】  小物を収納し得る容器で、収納物を古いものから順番に使用することが容易な構造を提供する。【解決手段】  筒形状の収納部本体１の対向する開口部に、嵌合可能な構造の第一の蓋２ａと第二の蓋２ｂを取り付け、容器とする。対向する開口部のいずれか一方を物品の収納に用い、他方の開口部を物品の取り出しに用いる。これによって、いわゆる“先入れ先出し”が可能な容器を提供することができる。【選択図】図１
2010269843.tif 000002
【特許請求の範囲】
【請求項１】
筒形状の収納部本体と、前記収納部の対向する開口部に嵌合可能な構造の２枚の蓋を有することを特徴とする両面蓋付容器。
【請求項２】
前記蓋は、周縁に形成されたリブと、前記リブの内周側に形成された環状の溝を有し、前記溝が前記収納部本体の開口部に嵌合可能であることを特徴とする、請求項１に記載の両面蓋付容器。
【発明の詳細な説明】
【技術分野】
【０００１】  本発明はいわゆる小物の収納に適した蓋付の容器に関し、特に蓋を２箇所備え、どちらの方からも収納物の出し入れが可能な蓋付の容器に関する。
【背景技術】
【０００２】  化学工業の発展に伴い、様々なプラスチック素材やそれを用いた製品が開発され、日用品から自動車や航空機の部品に至るまで、あらゆる分野に用いられている。こららは、家においても、ゴミ箱から食品の容器まで、プラスチック製品が用いられている。【０００３】  その中で、タッパーウエア（登録商標）と称する容器が普及し、食品などの容器として多用されている。その一般的な構造は、高分子材料からなる容器本体と、同じく高分子材料からなり、容器の開口部を覆う形状で、周縁にリブとリブの内周側に設けられた溝を備えた蓋からなり、容器の開口部の端を蓋の溝に嵌合させて容器本体の収納部を密閉するというものである。【０００４】  このような容器の一般的な使用法の一つに、調理済みの食品を入れて冷蔵庫で保存するというものがある。また、その他に、透明なフィルムの袋に小分けして封入した、醤油、辛子などを保存するという使用方法もある。【０００５】  後者の使用方法における問題点として、容器の底部にある物品が長期間使われずに放置されることが挙げられる。これは物品を取り出す優先順位が、蓋の近傍、つまり容器の上の方になってしまう場合が多いことによる。特に食品の場合は、一定の消費期限があり、これを過ぎると廃棄せざるを得なくなり、古いものから消費する、いわゆる“先入れ先出し”が保存に際して重要となる。【０００６】  このような観点から、既存の容器を概観すると、例えば特許文献１のように、蓋の部分に新規な構造を付与して使い勝手を向上したものなどが多数開示されているが、前記の問題点に対処し得るものはないのが現状である。
【先行技術文献】
【特許文献】
【０００７】
【特許文献１】  特開２００６−１２３９４４号公報
【発明の概要】
【発明が解決しようとする課題】
【０００８】  従って、本発明の課題は、小物を収納し得る容器で、収納物を古いものから順番に使用することが容易な構造を提供することにある。
【課題を解決するための手段】
【０００９】  本発明は、物品の収納と取り出しに、それぞれを別の出し入れ口を用いることにより、前記の課題を解決し得ることに着目して、検討した結果、なされたものである。【００１０】  即ち、本発明は、筒形状の収納部本体と、前記収納部の対向する開口部に嵌合可能な構造の２枚の蓋を有することを特徴とする両面蓋付容器である。【００１１】  また本発明は、前記蓋が、周縁に形成されたリブと、前記リブの内周側に形成された環状の溝を有し、前記溝が前記収納部本体の開口部に嵌合可能であることを特徴とする、前記の両面蓋付容器である。
【発明の効果】
【００１２】  本発明の容器は、収納部本体が前記のように筒状で、対向する開口部のいずれか一方を物品の収納に用い、他方を取り出しに用いることができるので、収納した順番に物品を取り出すことができ、古い物品がいつまでも取り出されないことを、実質的になくすことができる。
【図面の簡単な説明】
【００１３】
【図１】
【発明を実施するための形態】
【００１４】  次に本発明を実施するための形態について説明する。図１は本発明の実施の形態に係る両面蓋付容器の一例を示す図で、図１（ａ）は斜視図、図１（ｂ）は断面図である。図１において、１は収納部本体、２ａは第一の蓋、２ｂは第二の蓋、３は嵌合溝である。
【００１５】  収納部本体１、第一に蓋２ａ、第二の蓋２ｂはともにプラスチックで成形したものを用いることができる。具体的には、内容物を視認できるので、透明なポリオレフィンなどを用いることが望ましい。より具体的には、収納部本体１にはポリプロピレンを用い、第一の蓋２ａ及び第二の蓋２ｂには、ポリプロピレンより柔軟性に富む低密度ポリエチレンや、エチレン−酢酸ビニル共重合体など用いることができる。
【００１６】  このような構成にすると、嵌合溝３の部分を、収納部本体１の開口部の端部に押し付けることで、第一の蓋２ａ、第二の蓋２ｂの周縁部が弾性変形し、収納部本体に嵌合する。実際の使用に当たっては、第一の蓋２ａ、第二の蓋２ｂの任意のいずれか一方の側の開口部を、収納口として物品を収納し、他方の側の開口部を取り出し口として使用することができる。
【００１７】  以上に説明したように、本発明によれば、内容物の“先入れ先出し”が可能な両面蓋付容器を提供することができる。なお、本発明は、前記実施の形態に限定されるものではなく、本発明の分野における通常の知識を有する者であれば想到し得る、例えば、容器本体１の断面形状を楕円や四角形にするなどの、各種変形、修正を含む要旨を逸脱しない範囲の設計変更があっても、本発明に含まれることは勿論である。
【符号の説明】
【００１８】１    収納部本体
２ａ  第一の蓋
２ｂ  第二の蓋
３    嵌合溝
【図１】
2010269843.tif 000003
【手続補正書】
【提出日】平成21年7月2日(2009.7.2)
【手続補正１】
【補正対象書類名】明細書
【補正対象項目名】００１３
【補正方法】変更
【補正の内容】
【００１３】
【図１】  本発明の実施の形態に係る両面蓋付容器の一例を示す図、図１（ａ）は斜視図、図１（ｂ）は断面図。
【手続補正書】
【提出日】平成21年12月7日(2009.12.7)
【手続補正１】
【補正対象書類名】特許請求の範囲
【補正対象項目名】請求項１
【補正方法】変更
【補正の内容】
【請求項１】
円筒形状、楕円筒形状又は角筒形状の中空の収納部本体と、前記収納部本体の上端側及び下端側で開口する対称形状の２つの開口部のそれぞれに嵌合する同一形状の２つの蓋部とのみを有することを特徴とする両面蓋付容器。
【手続補正２】
【補正対象書類名】特許請求の範囲
【補正対象項目名】請求項２
【補正方法】変更
【補正の内容】
【請求項２】
前記蓋は、周縁に形成されたリブと、前記リブの内周側に形成された環状の溝を有し、前記溝が前記収納部本体の開口部に嵌合可能であることを特徴とする、請求項１に記載の両面蓋付容器。
(57)【要約】【課題】人間の握力を長時間維持するための握力補助具を提供する。【解決手段】手首に着脱可能に取り付けるバンド１と、手首に取り付けたバンド１への取り付け位置を、腕の上下方向の任意の位置に可変できる鉤型部材２とよりなり、前記鉤型部材２は、軸部２ａとその横方向へ伸びる折り曲げ部２ｂとよりなり、手首に取り付けたバンドに位置決めして装着し、軸部２ａは手の平に沿って指先側へ伸び、折り曲げ部２ｂは、折り曲げた指の内側に沿うように形成されていることを特徴とする握力補助具。【選択図】図２
2010022801.tif 000002
【特許請求の範囲】
【請求項１】
手首に着脱可能に取り付けるバンドと、手首に取り付けたバンドへの取り付け位置を腕の上下方向の任意の位置に可変できる鉤型部材とよりなり、前記鉤型部材は、軸部とその横方向へ伸びる折り曲げ部とよりなり、手首に取り付けたバンドに位置決めして装着したとき、軸部は手の平にそって指先側へ伸び、折り曲げ部は、折り曲げた指の内側に沿うように形成されていることを特徴とする握力補助具。
【発明の詳細な説明】
【発明の詳細な説明】
【技術分野】
【０００１】本発明は、握力補助具に関する。
【背景技術】
【０００２】手荷物など持つ際、人間の握力の長時間の持続には限界がある。そこで人間の握力を長時間持続させる必要がある。このような理由から、手首に付けたバンドに鉤型部材を付けて、手荷物などを持つ握力補助具が提案されている。これらの握力補助具は、人間の握力の長時間の持続を図るものである（特許文献１  参照）。【０００３】
【特許文献１】  実用新案登録第３１３７８３３号  公報
【発明の開示】
【発明が解決しようとする課題】
【０００４】しかしながら、上述した握力補助具は、その握力補助具を使用する人がバンドを手首に装着するとき、その使用する人の手首の太さに丁度良い具合に調節することは出来るが、鉤型部材を、その使用する人の手指の長さに丁度良い具合に調節するには構造的に無理がある。上述の握力補助具の場合、鉤型部材がバンドに固定されているため、鉤型部材を使用する人の手指の長さに丁度良い具合に調節することが出来ない。これは、鉤型部材が、バンドの取り付け位置を腕の上下方向の任意の位置に可変できる構造になっていないからである。
【課題を解決するための手段】
【０００５】本考案に係わる握力補助具は、上記課題を解決するためになされたもので、手首に着脱可能に取り付けるバンドと、手首に取り付けたバンドへの取り付け位置を、腕の上下方向の任意の位置に可変できる鉤型部材とよりなり、手首に取り付けたバンドに位置決めして装着したとき、軸部は手の平にそって指先側へ伸び、折り曲げ部は、折り曲げた指の内側に沿うように形成されていることを特徴とする握力補助具。
【発明の効果】
【０００６】本発明によれば、鉤型部材のバンドへの取り付け位置を、腕の上下方向の任意の位置に可変できるようにしたので、握力を効果的に補助することが出来る。
【発明を実施するための最良の形態】
【０００７】次に、本発明の実施の形態を実施例によって図面を参照しながら説明する。
図１は、実施例の握力補助具の構成を示す斜視図、図２は、実施例の握力補助具を正面側から見た分解斜視図、図３は、実施例の握力補助具を背面側から見た分解斜視図、図４は、実施例の握力補助具を手首に取り付けた状態を示す説明図である。【０００８】まず、握力補助具について説明する。
図１〜３に示すように、握力補助具は、手首に巻きつけて取り付けるバンド１と、このバンド１に取り付けた鉤型部材２とより構成されている。鉤型部材２は、軸部２ａと折り曲げ部２ｂとを有している。
このバンド１は、雌雄接着布１ａ、１ｂで手首に留める構成になっている。鉤型部材２は、その軸部２ａの端部２ｃの雌雄接着布３ｂを、バンド１の雌雄接着布１ｂと留め、軸部２ａの端部２ｃの雌雄接着布３ａが、バンド１の雌雄接着布１ａと留める構成になっている。
軸部２ａと折り曲げ部２ｂは、硬質合成樹脂で一体形成されている。【０００９】次に、握力補助具の使用方法について説明する。
図４に示すように、折り曲げ部２ｂを折り曲げた指にそって当接させ、軸部２ａを手の平にそって当接させてベルトを手首に取り付ける。
この状態で、折り曲げた指は、手荷物などの重量を折り曲げ部２ｂを介して受けることが出来る。【００１０】このため、特に重い手荷物などを持つ際、人間の握力の補助が可能となる。
【図面の簡単な説明】
【０００１】
【図１】実施例の握力補助具の構成を示す斜視図
【図２】実施例の握力補助具を正面側から見た分解斜視図
【図３】実施例の握力補助具を背面側から見た分解斜視図
【図４】実施例の握力補助具を手首に取り付けた状態を示す説明図
【符号の説明】
１・・・・バンド
２・・・・鉤型部材
２ａ・・・軸部
２ｂ・・・折り曲げ部
【図１】
2010022801.tif 000003
【図２】
2010022801.tif 000004
【図３】
2010022801.tif 000005
【図４】
2010022801.tif 000006
(57)【要約】      （修正有）【課題】調理時に、生ごみを入れると同時に水切りが出来、シンクのスペースを最大限に使用できる三角コーナー・用具スペース一体型シンクを提供する。【解決手段】シンク壁面上部二ヶ所に窪みを設け、一方を三角コーナー用スペースとし、他方を洗剤やスポンジなどの用具スペースとし、それぞれの窪みの底面は、手前に向けて傾斜を設け、用具スペースの手前に脱落防止柵を設け、その一方の窪みに三角コーナーを架け、常に水切り良好な状態とし、その三角コーナー用窪み一端に開閉式の蓋を設けた事を特徴とする三角コーナー・用具スペース一体型シンクを提供する。【選択図】図１
2010022803.tif 000002
【特許請求の範囲】
【請求項１】
シンク壁面上部２ヶに窪みを設け、一方を三角コーナー用スペースとし、他方を洗剤やスポンジなどの用具スペースとし、それぞれの窪みの底面を手前に向けて傾斜を儲け、用具スペースの手前に  脱落防止柵を設け、三角コーナー用スペースの窪みに三角コーナーを架け、常に水切り良好な状態とし、その三角コーナー用窪みの一端に開閉式の蓋を設けた事を特徴とする三角コーナー・用具スペース一体型シンク。
【発明の詳細な説明】
【技術分野】
【０００１】  本発明は、シンク使用時に、調理ごみ・皿洗い用具などを入れる三角コーナー・用具スペース一体型シンクに関するものである。
【背景技術】
【０００２】  従来、シンクを使用する時は、三角コーナーをシンクの一角に置き、ごみを入れるので、水切りができなかった。
満杯になった三角コーナーは、どこか高い所に置き、時間の経過により自然に水が切れるのを待っていた。
【特許文献１】  特開平  ２００８−０３０９４  号広報
【発明の開示】
【発明が解決しようとする課題】
【０００３】  そのために、次のような問題点があった。
（イ）シンクを使用する時、シンク内は、常に水で濡れているので、三角コーナー内のごみも常に水びたしであった。
（ロ）シンク内に食器・調理具を入れるので、三角コーナーは邪魔であった。
本発明は以上の問題点を解決しようとするものである。
【課題を解決するための手段】
【０００４】  シンク壁面上部二ヶ所に窪みを設け、一方を三角コーナー  他方を洗剤やスポンジなどの用具スペースとする。それぞれの窪みの底面は手前に向けて傾斜を儲ける。用具スペース用窪みの手前に脱落防止柵を設ける。
三角コーナー用窪みに三角コーナーを架け、常に水切り良好な状態とする。
その三角コーナー用窪みの一端に開閉式の蓋を設ける。
以上を特徴とする三角コーナー・用具一体型シンクである。
【発明の効果】
【０００５】  本発明は、調理時に出る生ごみを、入れると同時に水切りする。
したがって、調理終了後に水切りを行うわずらわしさが  ない。
また  シンク内に三角コーナーを置かないゆえに、シンクを広く使える。
【発明を実施するための最良の形態】
【０００６】  以下、本発明の実施の形態を説明する。
シンク壁面上部の三角コーナー用窪み（２）に、三角コーナー（７）を架ける。
三角コーナー（７）に生ごみを入れると、窪み底面（６）は、手前方向に傾斜しているので、常に水切り良好な状態を保てる。
シンク本体（１）の底部は常に濡れているが、三角コーナー（７）は、シンク本体（１）の上部にあるゆえに、水がかからない。この結果、調理後  水切りに時間を費やす必要がなくなる。
三角コーナー用窪みの蓋（３）は開閉式なので、ごみを入れる時は簡単にあけるだけでよい。
【図面の簡単な説明】
【０００７】
【図１】  本発明の斜視図
【図２】  本発明の一部を拡大した斜視図
【符号の説明】
【０００８】    １  シンク本体
２  三角コーナー用窪み
３  蓋
４  用具スペース用窪み
５  脱落防止柵
６  窪み底面
７  三角コーナー
８  蛇口
【図１】
2010022803.tif 000003
【図２】
2010022803.tif 000004
(57)【要約】      （修正有）【課題】歩行加速度を助長する靴用アクセルレバーを提供する。ただし、身体の成長が完了した成人が使用することは差し支えないが、身体の成長過程にある未成年者の使用は、身体成長への影響が未検討なので、当面は差し控えるべきである。【解決手段】靴底に靴用アクセルレバーを取り付けた靴。靴用アクセルレバーとは、右足用靴の場合、靴の踵の最後部から１／３の位置にあって、爪先と踵を結ぶ直線ＡＢより右へ９５度傾いて、巾３０ｍｍ高さ１０ｍｍで靴巾いっぱいに突出したレバーであり、歩行中にウナに体重が乗ったときに、ウナを支点として重心に働らく重力のモーメントを歩行加速に利用するものである。【選択図】図１
2010022804.tif 000002
【特許請求の範囲】
【請求項１】
靴底に靴用アクセルレバーを取り付けた靴。
【請求項２】
請求項１の靴用アクセルレバーとは、右足用靴の場合、靴の踵の最後部から１／３の位置にあって［図１］における爪先と踵を結ぶ直線ＡＢより右へ９５度傾いて、巾３０ｍｍ高さ１０ｍｍで靴巾いっぱいに突出したレバーである。
左足用はこれと対称形となる。
【請求項３】
請求項１、２の靴用アクセルレバーは、歩行中にウナに体重が乗ったときに、ウナを支点として重心に働らく重力のモーメントを歩行加速に利用する靴用アクセルレバーである。
（注記）
ウナとは運動科学総合研究所所長高岡英夫氏の造語であり、同氏の著書の中で定義されている言葉です。
【発明の詳細な説明】
【技術分野】
【０００１】本発明は靴底の構造で、歩行加速度を助長する事を目的としている。
【背景技術】
【０００２】スイスマサイ創業者カールミューラーによって開発されたＭＢＴシューズが市販されていますが、これは靴底に独特な曲面を取り付けて、正しい姿勢を強いて、足底や筋肉の使い方、歩行姿勢をより自然体に近付ける技術です。
本発明はそうした靴底の機能から歩行加速度を助長する機能に着目し特化したものです。
【発明の開示】
【発明が解決しようとする課題】
【０００３】本発明は歩行加速度を助長する構造物を提示するものである。
【課題を解決するための手段】
【０００４】右足用靴の場合、靴の踵の最後部から１／３の位置に爪先と踵を結ぶ直線より右へ９５度傾いて巾３０ｍｍ高さ１０ｍｍで靴巾いっぱいに突起物を取り付ける。
左足用はこれと対称形となる。
この突起物を靴用アクセルレバーと命名する。
【発明の効果】
【０００５】靴用アクセルレバーを通して、内くるぶしの真下の足裏であるウナ、より正確には脛骨とその真下にある距骨の中心のやや内側にあるウナに体重が乗りやすくなる。
ウナに体重が乗ると身体の重心はウナより前方にあるので、ウナを支点とした重力のモーメントが重心に働いて、重心は前方に加速されます。
つまり靴用アクセルレバーが加速器として作用しているのです。
【本発明を実施するための最良の形態】
【０００６】本発明を実施するために、市販のスニーカーに硬質ゴムを削って作った靴用アクセルレバーをゴム接着剤で靴底に接着して試作品とした。
サッカー用スパイクシューズの場合は、スパイクの先端よりも靴用アクセルレバーが１０ｍｍ突出するように作り接着して試作品とした。
両試作品とも歩行、ランニング、競技の使用に耐え充分な効果を上げている。
【図面の簡単な説明】
【０００７】
【図１】靴用アクセルレバーを取り付けた右足用靴の裏面図と側面図。
【図１】
2010022804.tif 000003